(57)【特許請求の範囲】
【請求項１】
底板の前縁部と後縁部のそれぞれに前板と後板を折曲げ可能に連設するとともに、底板の両側縁部に両側板を折曲げ可能に連設してなる容器において、
底板の前縁部に連設されている前板の両外側縁部のそれぞれと、底板の両側縁部に連設されている両側板の両前寄り外縁部のそれぞれとをつなぐ両前つなぎ板を有し、
各前つなぎ板が、前板と側板を底板に対して起立させ、底板の上に前板と側板に囲まれる空間を形成するとき、前板の外側縁部と側板の前寄り外縁部のそれぞれに第１と第２の前側折曲げ線を介して折曲げ可能に連設されるとともに、第１と第２の前側折曲げ線に挟まれる該前つなぎ板の内部で該前つなぎ板をＶ字状に折曲げて上記空間に対する外方に突き出る第３の前側折曲げ線を有してなり、
底板の後縁部に連設されている後板の両外側縁部のそれぞれと、底板の両側縁部に連設されている両側板の両後寄り外縁部のそれぞれとをつなぐ両後つなぎ板を有し、
各後つなぎ板が、後板と側板を底板に対して起立させ、底板の上に後板と側板に囲まれる空間を形成するとき、後板の外側縁部と側板の後寄り外縁部のそれぞれに第１と第２の後側折曲げ線を介して折曲げ可能に連設されるとともに、第１と第２の後側折曲げ線に挟まれる該後つなぎ板の内部で該後つなぎ板をＶ字状に折曲げて上記空間に対する外方に突き出る第３の後側折曲げ線を有してなり、
底板から起立された前板と後板のそれぞれが、底板から起立された各側板の前後のつなぎ板連設部分を除く外縁部に被されるとともに、それらの前板と後板のそれぞれの互いに重なる先端縁部に設けた前側ロック部と後側ロック部を互いに係止可能にしてなり、
底板と前板と後板と両側板と両前つなぎ板と両後つなぎ板の各板が使用前の展開状態で互いに面一をなして折り畳みでき、
底板に対し、両側板と前板を起立させたとき、各前つなぎ板の第３の前側折曲げ線が外方に突き出る状態にし、各前つなぎ板の第２の前側折曲げ線と第３の前側折曲げ線に挟まれる部分は、起立済の側板が容器の外方へ倒れ込むのを阻止する突支になり、各前つなぎ板の第１の前側折曲げ線と第３の前側折曲げ線に挟まれる部分は、起立済の側板が容器の内方へ倒れ込むのを阻止する突支になるとともに、
底板に対し、両側板と後板を起立させたとき、各後つなぎ板の第３の後側折曲げ線が外方に突き出る状態にし、各後つなぎ板の第２の後側折曲げ線と第３の後側折曲げ線に挟まれる部分は、起立済の側板が容器の外方へ倒れ込むのを阻止する突支になり、各後つなぎ板の第１の後側折曲げ線と第３の後側折曲げ線に挟まれる部分は、起立済の側板が容器の内方へ倒れ込むのを阻止する突支になることを特徴とする容器。
【請求項２】
前記前つなぎ板の第１と第２の前側折曲げ線と、後つなぎ板の第１と第２の後側折曲げ線の一部に、切込線が切込形成されてなる請求項１に記載の容器。
【請求項３】
前記前つなぎ板の第３の前側折曲げ線と、後つなぎ板の第３の後側折曲げ線の一部に、切込線が切込形成されてなる請求項１に記載の容器。
【請求項４】
前記前側ロック部と後側ロック部がつまみ状をなし、
前板の先端縁部は、前側ロック部が付け根を介して突き出し状に突設される第１前側先端縁部と、前側ロック部の突き出し方向に沿って延在される第２前側先端縁部とからなり、
後板の先端縁部は、後側ロック部が付け根を介して突き出し状に突設される第１後側先端縁部と、後側ロック部の突き出し方向に沿って延在される第２後側先端縁部とからなるとともに、
前板の第１前側先端縁部を後板の第２後側先端縁部の上に重ね、かつ後板の第１後側先端縁部を前板の第２前側先端縁部の上に重ねた状態で、前側ロック部の第２前側先端縁部に沿う第１前側先端縁部への付け根と、後側ロック部の第２後側先端縁部に沿う第１後側先端縁部への付け根とが互いに係止されてなる請求項１に記載の容器。
【請求項５】
前記前板に、該前板の第２前側先端縁部に直交し、後板の第１後側先端縁部が差し込まれる前側スリットを設け、
後板に、該後板の第２後側先端縁部に直交し、前板の第１前側先端縁部が差し込まれる後側スリットを設けてなる請求項４に記載の容器。
【発明の詳細な説明】
【技術分野】
【０００１】
本発明は、例えば肉、魚、野菜等の生鮮食材、又は生鮮食材を一度処理した加工食材等の食材のための電子レンジ調理用バッグ等に用いて好適な容器に関する。
【背景技術】
【０００２】
電子レンジ調理用バッグとして、特許文献１に記載の如く、袋の底部にまちを設けて自立性を付与した底ガゼット型のバッグが提案されている。袋の上蓋を開閉することにより、食材を簡易に収容したバッグをそのまま電子レンジに入れて調理できる。
【先行技術文献】
【特許文献】
【０００３】
【特許文献１】特開2011-148501
【発明の概要】
【発明が解決しようとする課題】
【０００４】
特許文献１に記載の底ガゼット型のバッグはそれ自体が立体的に安定し易く、自立安定性が高いものの、使用前から立体状をなしていて扁平状に小さく折り畳みできない。
【０００５】
本発明の課題は、例えば電子レンジ調理用バッグ等の容器において、使用前には小さく折り畳みでき、使用時には簡易に立体状に組立てて内容物を収容し、使用に供することにある。
【課題を解決するための手段】
【０００６】
請求項１に係る発明は、底板の前縁部と後縁部のそれぞれに前板と後板を折曲げ可能に連設するとともに、底板の両側縁部に両側板を折曲げ可能に連設してなる容器において、底板の前縁部に連設されている前板の両外側縁部のそれぞれと、底板の両側縁部に連設されている両側板の両前寄り外縁部のそれぞれとをつなぐ両前つなぎ板を有し、各前つなぎ板が、前板と側板を底板に対して起立させ、底板の上に前板と側板に囲まれる空間を形成するとき、前板の外側縁部と側板の前寄り外縁部のそれぞれに第１と第２の前側折曲げ線を介して折曲げ可能に連設されるとともに、第１と第２の前側折曲げ線に挟まれる該前つなぎ板の内部で該前つなぎ板をＶ字状に折曲げて上記空間に対する外方に突き出る第３の前側折曲げ線を有してなり、底板の後縁部に連設されている後板の両外側縁部のそれぞれと、底板の両側縁部に連設されている両側板の両後寄り外縁部のそれぞれとをつなぐ両後つなぎ板を有し、各後つなぎ板が、後板と側板を底板に対して起立させ、底板の上に後板と側板に囲まれる空間を形成するとき、後板の外側縁部と側板の後寄り外縁部のそれぞれに第１と第２の後側折曲げ線を介して折曲げ可能に連設されるとともに、第１と第２の後側折曲げ線に挟まれる該後つなぎ板の内部で該後つなぎ板をＶ字状に折曲げて上記空間に対する外方に突き出る第３の後側折曲げ線を有してなり、底板から起立された前板と後板のそれぞれが、底板から起立された各側板の前後のつなぎ板連設部分を除く外縁部に被されるとともに、それらの前板と後板のそれぞれの互いに重なる先端縁部に設けた前側ロック部と後側ロック部を互いに係止可能にしてなり、底板と前板と後板と両側板と両前つなぎ板と両後つなぎ板の各板が使用前の展開状態で互いに面一をなして折り畳みでき、底板に対し、両側板と前板を起立させたとき、各前つなぎ板の第３の前側折曲げ線が外方に突き出る状態にし、各前つなぎ板の第２の前側折曲げ線と第３の前側折曲げ線に挟まれる部分は、起立済の側板が容器の外方へ倒れ込むのを阻止する突支になり、各前つなぎ板の第１の前側折曲げ線と第３の前側折曲げ線に挟まれる部分は、起立済の側板が容器の内方へ倒れ込むのを阻止する突支になるとともに、底板に対し、両側板と後板を起立させたとき、各後つなぎ板の第３の後側折曲げ線が外方に突き出る状態にし、各後つなぎ板の第２の後側折曲げ線と第３の後側折曲げ線に挟まれる部分は、起立済の側板が容器の外方へ倒れ込むのを阻止する突支になり、各後つなぎ板の第１の後側折曲げ線と第３の後側折曲げ線に挟まれる部分は、起立済の側板が容器の内方へ倒れ込むのを阻止する突支になるようにしたものである。
【０００７】
請求項２に係る発明は、請求項１に係る発明において更に、前記前つなぎ板の第１と第２の前側折曲げ線と、後つなぎ板の第１と第２の後側折曲げ線の一部に、切込線が切込形成されてなるようにしたものである。
【０００８】
請求項３に係る発明は、請求項１に係る発明において更に、前記前つなぎ板の第３の前側折曲げ線と、後つなぎ板の第３の後側折曲げ線の一部に、切込線が切込形成されてなるようにしたものである。
【０００９】
請求項４に係る発明は、請求項１に係る発明において更に、前記前側ロック部と後側ロック部がつまみ状をなし、前板の先端縁部は、前側ロック部が付け根を介して突き出し状に突設される第１前側先端縁部と、前側ロック部の突き出し方向に沿って延在される第２前側先端縁部とからなり、後板の先端縁部は、後側ロック部が付け根を介して突き出し状に突設される第１後側先端縁部と、後側ロック部の突き出し方向に沿って延在される第２後側先端縁部とからなるとともに、前板の第１前側先端縁部を後板の第２後側先端縁部の上に重ね、かつ後板の第１後側先端縁部を前板の第２前側先端縁部の上に重ねた状態で、前側ロック部の第２前側先端縁部に沿う第１前側先端縁部への付け根と、後側ロック部の第２後側先端縁部に沿う第１後側先端縁部への付け根とが互いに係止されてなるようにしたものである。
【００１０】
請求項５に係る発明は、請求項４に係る発明において更に、前記前板に、該前板の第２前側先端縁部に直交し、後板の第１後側先端縁部が差し込まれる前側スリットを設け、後板に、該後板の第２後側先端縁部に直交し、前板の第１前側先端縁部が差し込まれる後側スリットを設けてなるようにしたものである。
【発明の効果】
【００１１】
（請求項１）
(a)底板と前板と後板と両側板と両前つなぎ板と両後つなぎ板の各板は使用前の展開状態で互いに面一をなし、小さく折り畳みできる。
【００１２】
(b)使用時には、底板の上に内容物を載せたまま、この底板に対し、両側板を起立させた後、前板と後板を起立させる。そして、底板から起立させた前板と後板のそれぞれを、底板から起立させてある各側板の前後のつなぎ板連設部分を除く外縁部に被せるとともに、それらの前板と後板のそれぞれの互いに重なる先端縁部に設けた前側ロック部と後側ロック部を互いに係止する。これにより、容器を簡易に立体状に組立てて内容物を収容し、電子レンジ調理等に供することができる。
【００１３】
電子レンジ調理等により容器の内部に生じた余剰な蒸気等は、各側板の外縁部に被された前板と後板がそれらの外縁部との間に形成する隙間から排出される。容器内における蒸気等の対流が促進され、内容物の均一加熱や蒸らし効果を得ることができる。
【００１４】
(c)上述(b)の組立段階で、底板に対し、両側板と前板を起立させたとき、各前つなぎ板の第３の前側折曲げ線が外方に突き出る。各前つなぎ板の第２の前側折曲げ線と第３の前側折曲げ線に挟まれる部分は、起立済の側板が容器の外方へ倒れ込むのを阻止する突支になる。また、各前つなぎ板の第１の前側折曲げ線と第３の前側折曲げ線に挟まれる部分は、起立済の側板が容器の内方へ倒れ込むのを阻止する突支になる。
【００１５】
同時に、底板に対し、両側板と後板を起立させたとき、各後つなぎ板の第３の後側折曲げ線が外方に突き出る。各後つなぎ板の第２の後側折曲げ線と第３の後側折曲げ線に挟まれる部分は、起立済の側板が容器の外方へ倒れ込むのを阻止する突支になる。また、各後つなぎ板の第１の後側折曲げ線と第３の後側折曲げ線に挟まれる部分は、起立済の側板が容器の内方へ倒れ込むのを阻止する突支になる。
【００１６】
これにより、起立させた側板は上述(b)の組立段階で直ちに安定した起立状態を保ち、容器の組立作業性、組立後の立体安定性を簡易に確保できる。
【００１７】
(請求項２)
(d)前記前つなぎ板の第１と第２の前側折曲げ線と、後つなぎ板の第１と第２の後側折曲げ線の一部に、切込線が切込形成される。これにより、前つなぎ板の第１と第２の前側折曲げ線の折曲げ性と、後つなぎ板の第１と第２の後側折曲げ線の折曲げ性を簡易に確保できる。同時に、電子レンジ調理等により容器の内部に生じた余剰な蒸気等は、それらの切込線が形成する通気口から排出される。上述(b)と相まって、容器内における蒸気等の対流が促進され、内容物の均一加熱や蒸らし効果を得ることができる。
【００１８】
(請求項３)
(e)前記前つなぎ板の第３の前側折曲げ線と、後つなぎ板の第３の後側折曲げ線の一部に、切込線が切込形成される。これにより、前つなぎ板の第３の前側折曲げ線と、後つなぎ板の第３の後側折曲げ線の折曲げ性を簡易に確保できる。同時に、電子レンジ調理等により容器の内部に生じた余剰な蒸気等は、それらの切込線が形成する通気口から排出される。上述(b)、(d)と相まって、容器内における蒸気等の対流が促進され、内容物の均一加熱や蒸らし効果を得ることができる。
【００１９】
(請求項４)
(f)前記前側ロック部と後側ロック部がつまみ状をなし、前板の先端縁部は、前側ロック部が付け根を介して突き出し状に突設される第１前側先端縁部と、前側ロック部の突き出し方向に沿って延在される第２前側先端縁部とからなり、後板の先端縁部は、後側ロック部が付け根を介して突き出し状に突設される第１後側先端縁部と、後側ロック部の突き出し方向に沿って延在される第２後側先端縁部とからなる。
【００２０】
これにより、前板の第１前側先端縁部を後板の第２後側先端縁部の上に重ね、かつ後板の第１後側先端縁部を前板の第２前側先端縁部の上に重ねた状態で、前側ロック部の第２前側先端縁部に沿う第１前側先端縁部への付け根と、後側ロック部の第２後側先端縁部に沿う第１後側先端縁部への付け根とが互いに係止され、前側ロック部と後側ロック部の係止の確実を図ることができる。同時に、前板の先端縁部と後板の先端縁部とを隙間なく重ね合せて安定的に閉鎖できる。
【００２１】
(請求項５)
(g)前記前板に、該前板の第２前側先端縁部に直交し、後板の第１後側先端縁部が差し込まれる前側スリットを設け、後板に、該後板の第２後側先端縁部に直交し、前板の第１前側先端縁部が差し込まれる後側スリットを設ける。これにより、前板の第１前側先端縁部を後板の第２後側先端縁部の上にスムースに重ね、かつ後板の第１後側先端縁部を前板の第２前側先端縁部の上にスムースに重ねながら、前側ロック部の第２前側先端縁部に沿う第１前側先端縁部への付け根と、後側ロック部の第２後側先端縁部に沿う第１後側先端縁部への付け根とを互いにスムースに係止できる。
【図面の簡単な説明】
【００２２】
【図１】図１は実施例１の電子レンジ調理用バッグを示す展開図である。
【図２】図２は電子レンジ調理用バッグの前板と後板と両側板の起立手順を示す模式図である。
【図３】図３は電子レンジ調理用バッグの前側ロック部と後側ロック部の係止手順を示す模式図である。
【図４】図４は電子レンジ調理用バッグのつなぎ板の部分を示す模式図である。
【図５】図５は電子レンジ調理用バッグの組立状態の要部を示す模式図である。
【図６】図６は実施例２の電子レンジ調理用バッグにおける前側ロック部と後側ロック部の係止手順を示す模式図である。
【発明を実施するための形態】
【００２３】
（実施例１）（図１〜図５）
電子レンジ調理用バッグ１００（容器）は、食材を収容した状態で電子レンジの庫内に挿入され、電子レンジ調理に供される。
【００２４】
電磁レンジ調理用バッグ１００は、板紙、合成フィルムがラミネートされた板紙、又は合成プラスチック等によって形成される。
【００２５】
電子レンジ調理用バッグ１００は、使用前段階では、図１に示した平板状の展開状態で積層保管等される。
【００２６】
電子レンジ調理用バッグ１００は、図１に示す如く、底板１０の前縁部１１と後縁部１２のそれぞれに折曲げ線１１Ａ、１２Ａを介して前板２０と後板３０と折曲げ可能に連設するとともに、底板１０の両側縁部１３、１３に折曲げ線１３Ａ、１３Ａを介して両側板４０、４０を折曲げ可能に連設している。折曲げ線１１Ａ、１２Ａ、１３Ａは、折り筋によって形成することができる。尚、本明細書において記載の折り筋は図面において破線で示される。
【００２７】
電子レンジ調理用バッグ１００は、底板１０を矩形状とし、前板２０と後板３０を概ね矩形状とし、側板４０の外縁部４１を円弧状としている。前板２０と後板３０は、底板１０の前縁部１１及び後縁部１２と平行をなす先端縁部２１、３１に前側ロック部５０と後側ロック部６０を設け、両ロック部５０、６０を後述するバッグ１００の組立段階で互いに係止可能にしている。
【００２８】
前板２０と後板３０は、底板１０の前縁部１１、後縁部１２とそれらの先端縁部２１、３１との間の概ね中間部に、底板１０の前縁部１１、後縁部１２と平行をなす折り筋２２、３２を備え、後述するバッグ１００の組立段階で起立された両側板４０、４０の円弧状の外縁部４１に沿う概ね円弧状に容易に曲げ変形し、それらの外縁部４１に被さるようにしている。ここで、前板２０の先端縁部２１、折り筋２２、及び後板３０の先端縁部３１、折り筋３２は底板１０の前縁部１１、後縁部１２より両外側に張り出るように、それらの長さを前縁部１１、後縁部１２の長さより長尺とされている。これにより、前板２０と後板３０は起立された両側板４０、４０の円弧状の外縁部４１より外側に張り出て、該外縁部４１に安定的に被さる。
【００２９】
このとき、電子レンジ調理用バッグ１００は、底板１０の前縁部１１に連設されている前板２０の両外側縁部２３、２３のそれぞれと、底板１０の両側縁部１３、１３に連設されている両側板４０、４０の両前寄り外縁部４２、４２のそれぞれとをつなぐ両前つなぎ板７０、７０を有する。
【００３０】
各前つなぎ板７０は、後述するバッグ１００の組立段階で、前板２０と側板４０を底板１０に対して起立させ、底板１０の上に前板２０と側板４０に囲まれる食材収容空間Ａ（図２、図３）を形成するとき、図４、図５に示す如く、(i)前板２０の外側縁部２３と側板４０の前寄り外縁部４２のそれぞれに第１と第２の前側折曲げ線７１、７２を介して折曲げ可能に連設されるとともに、(ii)第１と第２の前側折曲げ線７１、７２に挟まれる該前つなぎ板７０の内部で該前つなぎ板７０をＶ字状に折曲げて上記空間Ａに対する外方に突き出る第３の前側折曲げ線７３を有する。前側折曲げ線７１〜７３は、折り筋によって形成することができる。これらの前側折曲げ線７１〜７３は、底板１０の前縁部１１と側縁部１３の交差角部の一点にて集合している。
【００３１】
また、電子レンジ調理用バッグ１００は、底板１０の後縁部１２に連設されている後板３０の両外側縁部３３、３３のそれぞれと、底板１０の両側縁部１３、１３に連設されている両側板４０、４０の両後寄り外縁部４３、４３のそれぞれとをつなぐ両後つなぎ板８０、８０を有する。
【００３２】
各後つなぎ板８０は、後述するバッグ１００の組立段階で、後板３０と側板４０を底板１０に対して起立させ、底板１０の上に後板３０と側板４０に囲まれる食材収容空間Ａ（図２、図３）を形成するとき、(i)後板３０の外側縁部３３と側板４０の後寄り外縁部４３のそれぞれに第１と第２の後側折曲げ線８１、８２を介して折曲げ可能に連設されるとともに、(ii)第１と第２の後側折曲げ線８１、８２に挟まれる該後つなぎ板８０の内部で該後つなぎ板８０をＶ字状に折曲げて上記空間Ａに対する外方に突き出る第３の後側折曲げ線８３を有する。後側折曲げ線８１〜８３は、折り筋によって形成することができる。これらの後側折曲げ線８１〜８３は、底板１０の後縁部１２と側縁部１３の交差角部の一点にて集合している。
【００３３】
更に、電子レンジ調理用バッグ１００は、図４、図５に示す如く、前つなぎ板７０の第１と第２の前側折曲げ線７１、７２と、後つなぎ板８０の第１と第２の後側折曲げ線８１、８２の一部に、例えば一直線状の切込線ｃ1、ｃ2が切込形成されている。
【００３４】
尚、前つなぎ板７０の第１と第２の前側折曲げ線７１、７２と、後つなぎ板８０の第１と第２の後側折曲げ線８１、８２に切込線ｃ1、ｃ2を設けるとき、切込線ｃ1、ｃ2は前つなぎ板７０の第１と第２の前側折曲げ線７１、７２と、後つなぎ板８０の第１と第２の後側折曲げ線８１、８２の中間部に設けるものとするのが良い。前つなぎ板７０の第１と第２の前側折曲げ線７１、７２と、後つなぎ板８０の第１と第２の後側折曲げ線８１、８２において、底板１０の前縁部１１又は後縁部１２と側縁部１３とが交差する部分を折り筋によって形成することで、バッグ１００に収容された汁物等の液体物が底板１０の四隅から漏れるのを防止する。
【００３５】
また、電子レンジ調理用バッグ１００は、図４、図５に示す如く、前つなぎ板７０の第３の前側折曲げ線７３と、後つなぎ板８０の第３の後側折曲げ線８３の一部に、例えばくの字折れ線状（一直線状でも可）の切込線ｃ3が切込形成されている。
【００３６】
尚、前つなぎ板７０の第３の前側折曲げ線７３と、後つなぎ板８０の第３の後側折曲げ線８３に設けられる切込線ｃ3は、図４（Ｃ）に示す如く、前つなぎ板７０の第３の前側折曲げ線７３と、後つなぎ板８０の第３の後側折曲げ線８３の中間部に設けることができる。これによれば、底板１０の前縁部１１又は後縁部１２と側縁部１３が交差する部分とを折り筋によって形成することで、バッグ１００に収容された汁物等の液体物が底板１０の四隅から漏れるのを防止することができる。
【００３７】
また、電子レンジ調理用バッグ１００は、前側ロック部５０と後側ロック部６０がつまみ状をなすものとしている。ここで、前板２０の先端縁部２１は、前側ロック部５０が付け根５１を介して突き出し状に突設される第１前側先端縁部２１Ａと、前側ロック部５０の突き出し方向に沿って前側ロック部５０の側傍から延在される第２前側先端縁部２１Ｂとからなる。また、後板３０の先端縁部３１は、後側ロック部６０が付け根６１を介して突き出し状に突設される第１後側先端縁部３１Ａと、後側ロック部６０の突き出し方向に沿って後側ロック部６０の側傍から延在される第２後側先端縁部３１Ｂとからなる。そして、前板２０の第１前側先端縁部２１Ａを後板３０の第２後側先端縁部３１Ｂの上に重ね、かつ後板３０の第１後側先端縁部３１Ａを前板２０の第２前側先端縁部２１Ｂの上に重ねた状態で、前側ロック部５０の第２前側先端縁部２１Ｂに沿う第１前側先端縁部２１Ａへの付け根５１と、後側ロック部６０の第２後側先端縁部３１Ｂに沿う第１後側先端縁部３１Ａへの付け根６１とが互いに係止される。
【００３８】
従って、電子レンジ調理用バッグ１００は以下の如くに使用される。
(1)底板１０の上に食材（不図示）を載せ置き、両側板４０、４０を底板１０の両側縁部１３、１３に対して起立させる（図２（Ａ））。
【００３９】
(2)前板２０と後板３０を底板１０の前縁部１１、後縁部１２に対して起立させる（図２（Ｂ）、（Ｃ））。このとき、各前つなぎ板７０の第３の前側折曲げ線７３が外方へ突き出る。また、各後つなぎ板８０の第３の後側折曲げ線８３が外方へ突き出る。
【００４０】
(3)底板１０から起立させた前板２０と後板３０のそれぞれを、底板１０から起立させてある各側板４０、４０の前後のつなぎ板連設部分（前寄り外縁部４２、後寄り外縁部４３を除く円弧状の外縁部４１に被せる（図３（Ａ））。
【００４１】
(4)前板２０と後板３０のそれぞれの互いに重なる先端縁部２１、３１に設けた前側ロック部５０と後側ロック部６０を互いに係止する（図３（Ｂ）、（Ｃ））。このとき、前側ロック部５０と後側ロック部６０は、それらの付け根５１、６１を介して上向きに折り曲げられた状態（図３（Ｂ））とされることにより、互いに交わされる。そして、前板２０の第１前側先端縁部２１Ａを後板３０の第２後側先端縁部３１Ｂの上に重ね、かつ後板３０の第１後側先端縁部３１Ａを前板２０の第２前側先端縁部２１Ｂの上に重ねた状態とし、前側ロック部５０の第２前側先端縁部２１Ｂに沿う第１前側先端縁部２１Ａへの付け根５１と、後側ロック部６０の第２後側先端縁部３１Ｂに沿う第１後側先端縁部３１Ａへの付け根６１とを互いに係止する（図３（Ｃ））。
【００４２】
(5)電子レンジ調理用バッグ１００をそのまま電子レンジの庫内に挿入して電子レンジ調理する。電子レンジの庫内に対するバッグ１００の出し入れ時に、使用者は前板２０の中間部の折り筋２２と底板１０の前縁部１１との間の前面部２０Ｆの中央部と、後板３０の中間部の折り筋３２と底板１０の後縁部１２との間の後面部３０Ｒの中央部を手指で安全に挟み持ちできる（図３（Ｂ））。また、バッグ１００の広くて平坦な底板１０を電子レンジの庫内床面の上に安定的に載置できる。
【００４３】
本実施例によれば以下の作用効果を奏する。
(a)底板１０と前板２０と後板３０と両側板４０と両前つなぎ板７０と両後つなぎ板８０の各板は使用前の展開状態で互いに面一をなし、小さく折り畳みできる。
【００４４】
(b)使用時には、底板１０の上に食材を載せたまま、この底板１０に対し、両側板４０を起立させた後、前板２０と後板３０を起立させる。そして、底板１０から起立させた前板２０と後板３０のそれぞれを、底板１０から起立させてある各側板４０の前後のつなぎ板連設部分を除く外縁部４１に被せるとともに、それらの前板２０と後板３０のそれぞれの互いに重なる先端縁部２１、３１に設けた前側ロック部５０と後側ロック部６０を互いに係止する。これにより、バッグ１００を簡易に立体状に組立てて食材を収容し、電子レンジ調理に供することができる。
【００４５】
電子レンジ調理によりバッグ１００の内部に生じた余剰な蒸気は、各側板４０の外縁部４１に被された前板２０と後板３０がそれらの外縁部４１との間に形成する隙間から排出される。バッグ１００内における蒸気の対流が促進され、食材の均一加熱や蒸らし効果を得ることができる。
【００４６】
(c)上述(b)の組立段階で、底板１０に対し、両側板４０と前板２０を起立させたとき、各前つなぎ板７０の第３の前側折曲げ線７３が外方に突き出る。各前つなぎ板７０の第２の前側折曲げ線７２と第３の前側折曲げ線７３に挟まれる部分は、起立済の側板４０がバッグ１００の外方へ倒れ込むのを阻止する突支になる。また、各前つなぎ板７０の第１の前側折曲げ線７１と第３の前側折曲げ線７３に挟まれる部分は、起立済の側板４０がバッグ１００の内方へ倒れ込むのを阻止する突支になる。
【００４７】
同時に、底板１０に対し、両側板４０と後板３０を起立させたとき、各後つなぎ板８０の第３の後側折曲げ線８３が外方に突き出る。各後つなぎ板８０の第２の後側折曲げ線８２と第３の後側折曲げ線８３に挟まれる部分は、起立済の側板４０がバッグ１００の外方へ倒れ込むのを阻止する突支になる。また、各後つなぎ板８０の第１の後側折曲げ線８１と第３の後側折曲げ線８３に挟まれる部分は、起立済の側板４０がバッグ１００の内方へ倒れ込むのを阻止する突支になる。
【００４８】
これにより、起立させた側板４０は上述(b)の組立段階で直ちに安定した起立状態を保ち、バッグ１００の組立作業性、組立後の立体安定性を簡易に確保できる。
【００４９】
(d)前記前つなぎ板７０の第１と第２の前側折曲げ線７１、７２と、後つなぎ板８０の第１と第２の後側折曲げ線８１、８２の一部に、切込線ｃ1、ｃ2が切込形成される。これにより、前つなぎ板７０の第１と第２の前側折曲げ線７１、７２の折曲げ性と、後つなぎ板８０の第１と第２の後側折曲げ線８１、８２の折曲げ性を簡易に確保できる。同時に、電子レンジ調理によりバッグ１００の内部に生じた余剰な蒸気は、それらの切込線ｃ1、ｃ2が形成する通気口から排出される。上述(b)と相まって、バッグ１００内における蒸気の対流が促進され、食材の均一加熱や蒸らし効果を得ることができる。
【００５０】
(e)前記前つなぎ板７０の第３の前側折曲げ線７３と、後つなぎ板８０の第３の後側折曲げ線８３の一部に、切込線ｃ3が切込形成される。これにより、前つなぎ板７０の第３の前側折曲げ線７３と、後つなぎ板８０の第３の後側折曲げ線８３の折曲げ性を簡易に確保できる。同時に、電子レンジ調理によりバッグ１００の内部に生じた余剰な蒸気は、それらの切込線ｃ3が形成する通気口から排出される。上述(b)、(d)と相まって、バッグ１００内における蒸気の対流が促進され、食材の均一加熱や蒸らし効果を得ることができる。
【００５１】
このとき、前つなぎ板７０と後つなぎ板８０の第３の前側折曲げ線７３、後側折曲げ線８３に切込形成される切込線ｃ3をくの字状とするとき、それらの折曲げ線７３、８３の外方への突き出しによって形成される通気口Ｋ(図５)は大きく拡大されたものになる。
【００５２】
(f)前記前側ロック部５０と後側ロック部６０がつまみ状をなし、前板２０の先端縁部２１は、前側ロック部５０が付け根５１を介して突き出し状に突設される第１前側先端縁部２１Ａと、前側ロック部５０の突き出し方向に沿って延在される第２前側先端縁部２１Ｂとからなり、後板３０の先端縁部３１は、後側ロック部６０が付け根６１を介して突き出し状に突設される第１後側先端縁部３１Ａと、後側ロック部６０の突き出し方向に沿って延在される第２後側先端縁部３１Ｂとからなる。
【００５３】
これにより、前板２０の第１前側先端縁部２１Ａを後板３０の第２後側先端縁部３１Ｂの上に重ね、かつ後板３０の第１後側先端縁部３１Ａを前板２０の第２前側先端縁部２１Ｂの上に重ねた状態で、前側ロック部５０の第２前側先端縁部２１Ｂに沿う第１前側先端縁部２１Ａへの付け根５１と、後側ロック部６０の第２後側先端縁部３１Ｂに沿う第１後側先端縁部３１Ａへの付け根６１とが互いに係止され、前側ロック部５０と後側ロック部６０の係止の確実を図ることができる。同時に、前板２０の先端縁部２１と後板３０の先端縁部３１とを隙間なく重ね合せて安定的に閉鎖できる。
【００５４】
（実施例２）（図６）
実施例２の電子レンジ調理用バッグ１００が実施例１の電子レンジ調理用バッグ１００と異なる点は、図６に示す如く、前板２０に、前板２０の第２前側先端縁部２１Ｂに直交し、後板３０の第１後側先端縁部３１Ａが差し込まれる前側スリット２１Ｃを設けるとともに、後板３０に、後板３０の第２後側先端縁部３１Ｂに直交し、前板２０の第１前側先端縁部２１Ａが差し込まれる後側スリット３１Ｃを設けたことにある。
【００５５】
前板２０の第１後側先端縁部２１Ａに付け根５１を介して突設されている前側ロック部５０と、後板３０の第１後側先端縁部３１Ａに付け根６１を介して突設されている後側ロック部６０とが互いに係止されるとき、前板２０の前側ロック部５０寄りの第１前側先端縁部２１Ａは後板３０の第２後側先端縁部３１Ｂの上に重ねられるものの、前板２０の第１前側先端縁部２１Ａにおけるその余の部分は後板３０の第２後側先端縁部３１Ｂに直交する上述の後側スリット３１Ｃに差し込まれて該第２後側先端縁部３１Ｂの下に潜り込むものになる。同時に、後板３０の後側ロック部６０寄りの第１後側先端縁部３１Ａは前板２０の第２前側先端縁部２１Ｂの上に重ねられるものの、後板３０の第１後側先端縁部３１Ａにおけるその余の部分は前板２０の第２前側先端縁部２１Ｂに直交する上述のスリット２１Ｃに差し込まれて該第２前側先端縁部２１Ｂの下に潜り込むものになる。
【００５６】
これにより、前板２０の第１前側先端縁部２１Ａを後板３０の第２後側先端縁部３１Ｂの上にスムースに重ね、かつ後板３０の第１後側先端縁部３１Ａを前板２０の第２前側先端縁部２１Ｂの上にスムースに重ねながら、前側ロック部５０の第２前側先端縁部２１Ｂに沿う第１前側先端縁部２１Ａへの付け根５１と、後側ロック部６０の第２後側先端縁部３１Ｂに沿う第１後側先端縁部３１Ａへの付け根６１とを互いにスムースに係止できる。
【００５７】
以上、本発明の実施例を図面により詳述したが、本発明の具体的な構成はこの実施例に限られるものではなく、本発明の要旨を逸脱しない範囲の設計の変更等があっても本発明に含まれる。例えば、前側ロック部と後側ロック部はつまみ状をなすものに限定されず、前板に設けた舌片状の前板ロック部を後板に設けた差込口状の後側ロック部に差込み係止する等、他のいかなる構造からなるものでも良い。
【産業上の利用可能性】
【００５８】
本発明は、底板の前縁部と後縁部のそれぞれに前板と後板を折曲げ可能に連設するとともに、底板の両側縁部に両側板を折曲げ可能に連設してなる容器において、底板の前縁部に連設されている前板の両外側縁部のそれぞれと、底板の両側縁部に連設されている両側板の両前寄り外縁部のそれぞれとをつなぐ両前つなぎ板を有し、各前つなぎ板が、前板と側板を底板に対して起立させ、底板の上に前板と側板に囲まれる空間を形成するとき、前板の外側縁部と側板の前寄り外縁部のそれぞれに第１と第２の前側折曲げ線を介して折曲げ可能に連設されるとともに、第１と第２の前側折曲げ線に挟まれる該前つなぎ板の内部で該前つなぎ板をＶ字状に折曲げて上記空間に対する外方に突き出る第３の前側折曲げ線を有してなり、底板の後縁部に連設されている後板の両外側縁部のそれぞれと、底板の両側縁部に連設されている両側板の両後寄り外縁部のそれぞれとをつなぐ両後つなぎ板を有し、各後つなぎ板が、後板と側板を底板に対して起立させ、底板の上に後板と側板に囲まれる空間を形成するとき、後板の外側縁部と側板の後寄り外縁部のそれぞれに第１と第２の後側折曲げ線を介して折曲げ可能に連設されるとともに、第１と第２の後側折曲げ線に挟まれる該後つなぎ板の内部で該後つなぎ板をＶ字状に折曲げて上記空間に対する外方に突き出る第３の後側折曲げ線を有してなり、底板から起立された前板と後板のそれぞれが、底板から起立された各側板の前後のつなぎ板連設部分を除く外縁部に被されるとともに、それらの前板と後板のそれぞれの互いに重なる先端縁部に設けた前側ロック部と後側ロック部を互いに係止可能にする。これにより、例えば電子レンジ調理用バッグ等の容器において、使用前には小さく折り畳みでき、使用時には簡易に立体状に組立てて内容物を収容し、使用に供することができる。
【符号の説明】
【００５９】
１００  電子レンジ調理用バッグ（容器）
１０  底板
１１  前縁部
１１Ａ  折曲げ線
１２  後縁部
１２Ａ  折曲げ線
１３  側縁部
１３Ａ  折曲げ線
２０  前板
２１  先端縁部
２１Ａ  第１前側先端縁部
２１Ｂ  第２前側先端縁部
２１Ｃ  前側スリット
２２  折り筋
２３  外側縁部
３０  後板
３１  先端縁部
３１Ａ  第１後側先端縁部
３１Ｂ  第２後側先端縁部
３１Ｃ  後側スリット
４０  側板
４１  外縁部
４２  前寄り外縁部
４３  後寄り外縁部
５０  前側ロック部
５１  付け根
６０  後側ロック部
６１  付け根
７０  前つなぎ板
７１  第１の前側折曲げ線
７２  第２の前側折曲げ線
７３  第３の前側折曲げ線
８０  後つなぎ板
８１  第１の後側折曲げ線
８２  第２の後側折曲げ線
８３  第３の後側折曲げ線
【図１】
0005843361.tif 000002
【図２】
0005843361.tif 000003
【図３】
0005843361.tif 000004
【図４】
0005843361.tif 000005
【図５】
0005843361.tif 000006
【図６】
0005843361.tif 000007